(57)【特許請求の範囲】
【請求項１】
負荷に供給される電力を一定期間計測した消費電力データに基づいて、１日の消費電力の変化により当該負荷に係る作業者の出勤時刻及び退勤時刻を推定し、該推定値により所定期間における前記作業者の平均出勤時刻及び平均退勤時刻を算出するステップと、
前記消費電力データ並びに前記平均出勤時刻及び平均退勤時刻に基づき、前記所定期間における１日の在勤時間中の負荷の平均消費電力を算出するステップと、
前記平均消費電力から所定の割合で削減した前記負荷の目標消費電力を算出するステップと、
前記算出した平均出勤時刻及び平均退勤時刻並びに前記目標消費電力と共に前記負荷の一日の消費電力の計測値をグラフ表示するステップとを含むことを特徴とする消費電力表示方法。
【請求項２】
負荷に供給される電力を一定期間計測した消費電力データに基づいて、１日の消費電力の変化により当該負荷に係る作業者の出勤時刻及び退勤時刻を推定し、該推定値により所定期間における前記作業者の平均出勤時刻及び平均退勤時刻を算出する出退勤時刻算出部と、
前記消費電力データ並びに前記平均出勤時刻及び平均退勤時刻に基づき、前記所定期間における１日の在勤時間中の負荷の平均消費電力を算出する平均電力算出部と、
前記平均消費電力から所定の割合で削減した前記負荷の目標消費電力を算出する目標電力算出部と、
前記算出した平均出勤時刻及び平均退勤時刻並びに前記目標消費電力と共に前記負荷の一日の消費電力の計測値をグラフ表示する表示部とを備えることを特徴とする消費電力表示装置。
【発明の詳細な説明】
【技術分野】
【０００１】
本発明は、消費電力の計測値をグラフ表示する消費電力表示装置及び消費電力表示方法に関する。
【背景技術】
【０００２】
従来、電気の使用量を削減するために、電力計測タップを用いて個人の消費電力を計測し、グラフ化し、無駄な電力消費をしていないか解析することが行われてきた。
【０００３】
使用電力の瞬時電力及び電力量を測定する電力計測タップとしては、検出した電圧、電流をデジタル変換し、マイクロコンピュータによって一定時間幅ごとの平均値として瞬時電力を求め、この瞬時電力を積算して電力量を算出するものが知られている。
【０００４】
一般的に、測定した数値をグラフ化する場合、目標値をグラフに重ねて表示すれば、その値を超えるか、超えないかが一目でわかり都合がよい。消費電力をグラフ化する場合、従来は、特許文献１に開示されているように、消費電力の目標となる数値を事前に設定し、その値をグラフに重ねて表示する方法が一般的であった。
【先行技術文献】
【特許文献】
【０００５】
【特許文献１】特開２０００−１９３６９５号公報
【発明の開示】
【発明が解決しようとする課題】
【０００６】
しかし、特許文献１に開示の方法では、消費電力量の大小は把握することができるが、１日の電力使用状況において、どういった行動が消費電力の増大につながったのか、わかりにくい。
また、消費電力の目標値は、個人の使用機器や使用状況によって大きく異なるものである。そのため、計測する個人の数が多くなると目標値の設定に大変手間がかかるという問題もある。
【０００７】
本発明は、上述のような実情を鑑みてなされたものであり、消費電力を表示する際に、消費電力の増大の原因が把握でき、また、消費電力抑制の目標値の設定に手間がかからない消費電力表示装置及び消費電力表示方法を提供することをその目的とする。
【課題を解決するための手段】
【０００８】
上記課題を解決するために、本発明の第１の技術手段は、消費電力表示方法であって、負荷に供給される電力を一定期間計測した消費電力データに基づいて、１日の消費電力の変化により当該負荷に係る作業者の出勤時刻及び退勤時刻を推定し、該推定値により所定期間における前記作業者の平均出勤時刻及び平均退勤時刻を算出するステップと、前記消費電力データ並びに前記平均出勤時刻及び平均退勤時刻に基づき、前記所定期間における１日の在勤時間中の負荷の平均消費電力を算出するステップと、前記平均消費電力から所定の割合で削減した前記負荷の目標消費電力を算出するステップと、前記算出した平均出勤時刻及び平均退勤時刻並びに前記目標消費電力と共に前記負荷の一日の消費電力の計測値をグラフ表示するステップとを含むことを特徴としたものである。
【０００９】
本発明の第２の技術手段は、消費電力表示装置であって、負荷に供給される電力を一定期間計測した消費電力データに基づいて、１日の消費電力の変化により当該負荷に係る作業者の出勤時刻及び退勤時刻を推定し、該推定値により所定期間における前記作業者の平均出勤時刻及び平均退勤時刻を算出する出退勤時刻算出部と、前記消費電力データ並びに前記平均出勤時刻及び平均退勤時刻に基づき、前記所定期間における１日の在勤時間中の負荷の平均消費電力を算出する平均電力算出部と、前記平均消費電力から所定の割合で削減した前記負荷の目標消費電力を算出する目標電力算出部と、前記算出した平均出勤時刻及び平均退勤時刻並びに前記目標消費電力と共に前記負荷の一日の消費電力の計測値をグラフ表示する表示部とを備えることを特徴としたものである。
【発明の効果】
【００１０】
本発明では、電力使用量を表示する際、基準出勤時刻と基準退勤時刻がグラフ上に示されるため、基準出勤時刻、基準退勤時刻外の時間での消費電力消費が、一目でわかる。従って、深夜での電力使用や、長時間にわたる残業時間での電力使用など、電力使用を抑制するポイントがわかりやすい。また、目標消費電力領域を自動的に算出するので、目標設定の手間が不要になる。
【図面の簡単な説明】
【００１１】
【図１】本発明の消費電力表示装置を含む電力使用量表示システムの構成例を模式的に示す図である。
【図２】図１の消費電力表示装置の内部構成例を示すブロック図である。。
【図３】図１の電力測定タップの構成例を示す図である。
【図４】図１の電力測定タップから消費電力表示装置へ送られる消費電力データの一例を説明する図である。
【図５】図１の消費電力表示装置が全ての電力測定タップから受信した消費電力データを集計した集計消費電力データの一例を説明する図である。
【図６】図１の消費電力表示装置による消費電力のグラフ表示の一例を示す図である。
【図７】図１の消費電力表示装置によるグラフ表示処理の一例を説明するフローチャートである。
【図８】図２の出退勤時刻算出部が行う出勤時刻、退勤時刻の推定処理の一例を説明するフローチャートである。
【図９】図２の出退勤時刻算出部が出勤時刻、退勤時刻を推定できない場合の、消費電力の一日の推移の例を示す図である。
【図１０】図２の出退勤時刻算出部が行う平均出勤時刻、平均退勤時刻の算出処理の一例を説明するフローチャートである。
【発明を実施するための最良の形態】
【００１２】
図１は、本発明の消費電力表示装置を含む電力使用量表示システムの構成例を模式的に示す図である。
図１において参照符号１で例示する電力使用量表示システムは、パーソナルコンピュータなどの負荷における消費電力をグラフ表示する消費電力表示装置（以下、表示装置と省略）２と、負荷に電力を供給すると共に該電力を測定する電力測定タップ３と、を備える。
表示装置２と電力測定タップ３のそれぞれには、無線アンテナ２５ａ，３７ａが内蔵されており、該無線アンテナ２５ａ，３７ａを介した無線通信により、電力測定タップ３から表示装置２へ消費電力データが送られる。表示装置２では、消費電力データに基づいて電力使用量を表示する。
【００１３】
図２は、図１の表示装置２の内部構成例を示すブロック図である。
表示装置２は、制御部２０と、一時記憶部２１と、記憶部２２と、入力処理部２３と、表示処理部２４と、通信処理部２５と、タブレット２６と、ディスプレイ２７とを備える。なお、表示装置２は、消費電力の表示専用の装置であってもよいし、汎用のパーソナルコンピュータであってもよい。
【００１４】
制御部２０は、ＣＰＵ（Central Processing Unit）を用い、記憶部２２に記憶されているグラフ表示用プログラムＰ１などの各種プログラムを一時記憶部２１に読み出して実行することにより、表示装置２の各部の動作を制御する。
なお、制御部２０が有する出退勤時刻算出部２０ａ、平均電力算出部２０ｂ、目標電力算出部２０ｃについては後述する。
一時記憶部２１には、ＲＡＭ（Static Random Access Memory）、例えば、ＳＲＡＭ（Static RAM）、ＤＲＡＭ（Dynamic RAM）を用いる。一時記憶部２１には、上述のように読み出されたプログラムが記憶されると共に、制御部２０の処理によって発生する情報が記憶される。
記憶部２２はハードディスク、又はＳＳＤ（Solid State Drive）などを用いる。記憶部２２には、グラフ表示用プログラムＰ１が記憶されている。他に、グラフ表示装置１における他のアプリケーションソフトウェアプログラムが記憶されていてもよいのは勿論である。
【００１５】
入力処理部２３には、ペン２６ａによる入力を受け付けるタブレット２６が接続される。入力処理部２３は、表示装置２のユーザの操作により入力されるボタンの押下情報、画面中の位置を示す座標情報などの情報を受け付け、制御部２０へ通知する。
表示処理部２４には、液晶ディスプレイなどを用いるディスプレイ２７が接続されている。ディスプレイ２７は本発明の「表示部」に相当する。制御部２０は、表示処理部２４を介し、ディスプレイ２７に電力使用量のグラフ表示用のアプリケーション画面を出力し、アプリケーション画面内に画像を表示させる。
通信処理部２５には、無線通信を行うための無線アンテナ２５ａが接続されている。なお、無線通信手段２５ａによる消費電力データを送受信するための通信プロトコルは、ＺｉｇＢｅｅ（ジグビイ）などのプロトコルを用いればよい。通信プロトコルはこれに限られない。
【００１６】
図３は、図１の電力測定タップ３の構成例を示す図である。
電力測定タップ３は、制御部３０と、一時記憶部３１と、記憶部３２と、電流計３３と、コンセント３４と、インタフェース回路（Ｉ／Ｆ）３５と、内部バス３６と、通信処理部３７とを備える。
制御部３０は、記憶部３２に記憶されているプログラムを一時記憶部３１に読み出して実行することにより、電力測定タップ３の各部の動作を制御する。
一時記憶部３２には、ＲＡＭを用いる。一時記憶部３２には、上述のように読み出されたプログラムが記憶されると共に、制御部３０の処理によって発生する情報が記憶される。記憶部３１にはＲＯＭ（Read Only Memory）などを用いる。
【００１７】
電力測定タップ３は、電源プラグ４により電気の供給を受ける。電気は電力線５を通り、電流計３３を通過して、コンセント３４に供給される。電流計３３から得られたデジタル変換された測定値は、電流計のインタフェース回路３５を通じて、内部バス３６に伝達される。
通信処理部３７には、無線アンテナ３７ａが接続されている。
【００１８】
このような電力測定タップ３では、制御部３０が、負荷に供給される電力を電流計３３を用いて一定期間（例えば１日）に亘って所定期間ごと（例えば１秒ごと）に計測した消費電力データを生成しており、表示装置２からの要求に応じて、該表示装置２に無線アンテナ３７ａを介し消費電力データを送る。
【００１９】
図４は、電力測定タップ３から表示装置２へ送られる消費電力データの一例を説明する図である。図４（Ａ）は、数値を表形式で示したものであり、消費電力データすなわちテーブルＴ１の第１行は、０時から２３時まで１時間ごとの時間であり、同第２行はその時間内（１時間）における消費電力量（単位Ｗｈ）である。図４（Ｂ）のグラフＧ１は、図４（Ａ）の消費電力データをグラフ化したものである。
【００２０】
図５は、表示装置２が全ての電力測定タップ３から受信した消費電力データを集計した集計消費電力データの一例を説明する図である。図５の集計消費電力データすなわちテーブルＴ２の第１列は、電力測定タップ３の固有番号、同第２列は電力を測定した日付、同第３列以降は、消費電力量（単位Ｗｈ）である。この例では、３台の電力測定タップのデータを、４日間にわたって集計している。
【００２１】
表示装置２では、図５で例示した集計消費電力データに基づいて、負荷毎の、例えば、電力測定タップ３毎の消費電力のグラフ表示を行う。
【００２２】
その際、出退勤時刻算出部２０ａが、集計消費電力データに基づいて、該当する電力測定タップ３について、１日の消費電力の変化により、当該電力測定タップ３に係る作業者の出勤時刻及び退勤時刻を推定し、該推定値により所定期間（例えば４日間）における上記作業者の平均出勤時刻及び平均退勤時刻を算出する。
【００２３】
また、平均電力算出部２０ｂが、平均出勤時刻に基づく基準出勤時刻及び平均退勤時間に基づく基準退勤時間並びに消費電力データに基づいて、所定期間における１日の在勤時間中の該当する電力測定タップ３の平均消費電力を算出し基準消費電力として出力する。より具体的には、「平均出勤時刻」＝「基準出勤時刻」、「平均退勤時間」＝「基準退勤時間」であり、まず、平均電力算出部２０ｂが、該当する電力測定タップ３の所定期間における１日の消費電力量の平均値を算出し、「基準退勤時間」−「基準出勤時刻」で求められる平均在勤時間で上記１日の消費電力量の平均値を除算することにより、上記平均消費電力を算出し基準消費電力として出力する。
さらに、目標電力算出部２０ｃが、基準消費電力から所定の割合で削減した目標消費電力を算出する。
【００２４】
そして、表示装置２は、消費電力をディスプレイ２７にグラフ表示する際に、基準出勤時刻、基準退勤時刻、目標消費電力を重ねて表示する。基準消費電力も重ねて表示してもよい。
【００２５】
図６は、表示装置２による消費電力のグラフ表示の一例を示す図である。
図６のグラフＧ２は、１日の消費電力をグラフ表示するものであり、基準出勤時刻Ｋ１、基準退勤時刻Ｋ２、目標消費電力ＰＰ、消費電力０の線とで囲まれた長方形Ｌ１を目標消費電力領域がグラフ表示に重ねて表示されている。なお、グラフＧ２には、基準消費電力ＳＰも重ねて表示されている。
このような表示を見ることにより、ユーザは、例えば、目標消費電力に比べ大きい消費電力の時間帯を認識することができ、消費電力を抑えるべき時間帯を容易に把握することができる。
【００２６】
なお、出退勤時刻算出部２０ａが出勤時刻と退勤時刻を推定できない日がある場合、該当日を不在日と推定する。そして、不在日がある場合、出退勤時刻算出部２０ａは、該不在日を除いて平均出勤時刻及び平均退勤時刻を算出する。
【００２７】
図７は、表示装置２によるグラフ表示処理の一例を説明するフローチャートである。
表示装置２では、ある電力測定タップ３の消費電力量のグラフ表示の指示をタブレット２６を介して受け付けると、出退勤時刻算出部２０ａが、集計消費電力データを参照し、１日の消費電力の変化に基づいて、当該電力測定タップ３に係る作業者の出勤時刻及び退勤時刻を推定し、所定期間における（１）平均出勤時刻Ｓａ、（２）平均退勤時刻Ｅａを算出し、平均電力算出部２０ｂが、集計消費電力データに基づいて、当該電力測定タップ３の所定期間における（３）１日の平均消費電力量Ｗａを算出し（ステップＳ１）、ステップＳ２に進む。所定期間とは、消費電力を収集した期間の中からユーザにより又は自動で決定され、たとえば、図５の例では、消費電力データの取得期間が４日間であるので、上記所定期間は例えば最初の２日と設定される。
【００２８】
ステップＳ２では、平均電力算出部２０ｂが、平均出勤時刻Ｓａ、平均退勤時刻Ｅａ、及び平均消費電力量Ｗａから、（４）基準出勤時刻Ｓｏ、（５）基準退勤時刻Ｅｏを決定し、（６）平均消費電力すなわち基準消費電力Wｏを算出し、目標電力算出部２０ｃが、基準消費電力Wｏから、（７）目標消費電力Ｗｔを算出する。（４）〜（７）は、例えば以下の式で与えられる。
【００２９】
（４）基準出勤時刻Ｓｏ  ＝  平均出勤時刻Ｓａ
（５）基準退勤時刻Ｅｏ  ＝  平均退勤時刻Ｅａ
（６）基準消費電力Ｗｏ  ＝  平均消費電力量Ｗａ／（平均退勤時刻−平均出勤時刻）
（７）目標消費電力Ｗｔ  ＝  基準消費電力Ｗｏ×（１−目標削減率Ｚ）
【００３０】
本例では、基準出勤時刻Ｓｏ、基準退勤時刻Ｅｏは、平均出勤時刻Ｓａ、平均退勤時刻Ｅａをそのまま用いる。場合によっては、平均退勤時刻が定められた時刻より遅い場合、その時刻まで早める、平均出勤時刻が、定められた時刻より早い場合はその時刻まで遅くする、といった修正を加えてもよい。基準消費電力Ｗｏ（単位Ｗ）は、平均消費電力量Ｗａ（単位Ｗｈ）を、（平均退勤時刻−平均出勤時刻）すなわち平均勤務時間で割ったものである。目標消費電力Ｗｔは、基準消費電力Ｗｏに、あらかじめ定められた目標削減率を割り引いた数値である。
【００３１】
ステップＳ３では、指定された日付の消費電力のグラフをディスプレイ２７に描画し、ステップＳ４では、グラフの上に、基準出勤時刻Ｓｏ、基準退勤時刻Ｅｏ、目標消費電力Ｗｔで囲まれる長方形と、基準消費電力を描画し、処理を終了する。 
【００３２】
図８は、出退勤時刻算出部２０ａが行う出勤時刻、退勤時刻の推定処理の一例を説明するフローチャートである。
出退勤時刻算出部２０ａは、まず、出勤時刻、退勤時刻を求めたい日の時間帯毎の電力量を配列Ａに入れる（ステップＳ１１）。 本例では、配列Ａへの時間帯毎の電力量の格納方法は、時間的に早い時間帯から順番にいれる方式とする。
【００３３】
ステップＳ１２では、配列Ａに格納された電力量の最大値を求め、Ｍａとし、ステップＳ１３に進む。 
ステップＳ１３では、出勤時刻の探索を開始する配列要素をｉＳ、配列Ａの要素数−１をｉＥとする。１日の電力計測の始まりを午前０時とした場合、午前０時には、前日出社してからそのまま次の日を迎えた場合も考えられる。その場合は、出勤時刻の探索を開始する時刻を午前３時ごろに設定してもよい。この出勤時刻の探索を開始する時刻は職場の状況に応じて設定すればよい。本例では、配列Ａには、電力を取得した時間の早い順番にいれる方式としているため、出勤時刻の探索を開始する時刻を決めれば、その配列要素ｉＳの値も求められる。配列Ａの要素数は、電力量を集計する時間間隔によって決まる。たとえば図４の例のように１時間ごとに集計する場合、配列の要素数は２４、ｉＥは２３となる。ｉＳとｉＥを設定したのち、ステップ１４に進む。
【００３４】
ステップＳ１４では、出勤時刻に対応する配列要素Ｓｉを未定義とし、出勤時刻を探索するための変数ｉをｉＳとし、ステップＳ１５に進む。 
ステップＳ１５では、後述の判定式Ｃを用いて、現在の配列要素が出勤時刻に対応するか否かを判定する。対応する場合（Ｙｅｓの場合）、ステップＳ１８に進み、対応しない場合、ステップＳ１６に進む。 
【００３５】
判定式Ｃは、例えば、下記の通りである。
判定式Ｃ（ａ１，ａ２，ｍａ）＝
ｍａ＜Ｍｎ  ならば  Ｎｏ
ｍａ≧Ｍｎであり  ｜ａ１−ａ２｜＞ｍａ  ×  Ｒ  ならば  Ｙｅｓ
ｍａ≧Ｍｎであり、｜ａ１−ａ２｜≦ｍａ  ×  Ｒ  ならば  Ｎｏ
【００３６】
ここで、ａ１、ａ２は、判定式Ｃの引数で、配列Ａの要素すなわちある時間帯の電力量がはいる。ｍａは、判定式Ｃの引数で、最大電力量Ｍａがはいる。定数Ｍｎは、最大電力量に対する閾値である。判定式Ｃの最初の条件式により最大電力量ＭａがＭｎより小さければ、結果をＮｏとする。Ｍｎの値は、電力計測タップ３に接続した機器が電源ＯＮしたときの電力よりも余裕をもって小さい値に設定すればよい。定数Ｒは、最大電力の何割より大きい電力を測定したときに出社したとみなすかの割合で、０から１の間の値を調整して決めればよい。
【００３７】
ステップＳ１５では、判定式Ｃの引数は、ａ１＝Ａ［ｉ+1］，ａ２＝Ａ［ｉ］，ｍａ＝Ｍａである。
従って、判定式Ｃの値は、
Ｍａ＜Ｍｎ  ならば  Ｎｏ
Ｍａ≧Ｍｎであり、  ｜Ａ［ｉ+1］−Ａ［ｉ］｜＞Ｍａ  ×  Ｒ  ならば  Ｙｅｓ
Ｍａ≧Ｍｎであり、  ｜Ａ［ｉ+1］−Ａ［ｉ］｜≦Ｍａ  ×  Ｒ  ならば  Ｎｏ
である。
【００３８】
ステップＳ１６では、ｉ＋１＜ｉＥかどうかを判定する。Ｙｅｓの場合、ステップＳ１７でｉの値を１つ増やし、ステップＳ１５に戻る。Ｎｏの場合、ステップＳ１９に進む。 
【００３９】
ステップＳ１８では、Ｓｉにｉを代入し、ステップＳ１９に進む。
【００４０】
ステップＳ１９では、退勤時刻に対応する配列要素Ｅｉを未定義とし、退勤時刻を探索するための変数ｉをｉＥとし、ステップＳ２０に進む。 
【００４１】
ステップＳ２０では、判定式Ｃを用いて、現在の配列要素が退勤時刻に対応するか否かを判定する。対応する場合（Ｙｅｓの場合）、ステップＳ２３に進み、対応しない場合、ステップＳ２１に進む。
【００４２】
ステップＳ２０では、判定式Ｃの引数は、ａ１＝Ａ［ｉ］，ａ２＝Ａ［ｉ-1］，ｍａ＝Ｍａである。
従って、判定式Ｃの値は、
Ｍａ＜Ｍｎ  ならば  Ｎｏ
Ｍａ≧Ｍｎであり、  ｜Ａ［ｉ］−Ａ［ｉ-1］｜＞Ｍａ  ×  Ｒ  ならば  Ｙｅｓ
Ｍａ≧Ｍｎであり、  ｜Ａ［ｉ］−Ａ［ｉ-1］｜≦Ｍａ  ×  Ｒ  ならば  Ｎｏ
である。
【００４３】
ステップＳ２１では、ｉ−１＞ｉＳかどうかを判定する。Ｙｅｓの場合、ステップＳ２２でｉの値を１つ減らし、ステップＳ２０に戻る。Ｎｏの場合、ステップＳ２４に進む。
【００４４】
ステップＳ２３では、Ｅｉにｉを代入し、ステップＳ２４に進む。
【００４５】
ステップＳ２４では、Ｓｉに該当する時間帯を出勤時刻と推定し、また、Ｅｉに該当する時間帯を退勤時刻と推定する。このとき、Ｓｉ、Ｅｉが未定義の場合がありえる。それは判定式ＣがつねにＮｏとなった場合である。そのような電力の例を図９に示す。図９（Ａ）は、電力の最大値Ｍａが、Ｍｎより小さい例である。図９（Ｂ）は、電力の最大値Ｍａ＞Ｍｎであっても、電力の変化が、Ｍａ  ×  Ｒよりも小さく、判定式がＮｏとなる場合である。
【００４６】
図１０は、出退勤時刻算出部２０ａが行う平均出勤時刻、平均退勤時刻の算出処理の一例を説明するフローチャートである。
ステップＳ３１では、出退勤時刻算出部２０ａが、所定期間の最初の日に日付Ｄを設定し、ステップＳ３２に進む。 
ステップＳ３２では、平均出勤時刻Ｓａ  ＝  ０、平均退勤時間Ｅａ  ＝  ０、個数  Ｎ  ＝  ０  に設定し、ステップＳ３３に進む。 
ステップ３３では、日付Ｄの出勤時刻Ｓ、退勤時刻Ｅを推定し、ステップＳ３４に進む。出勤時刻Ｓ、退勤時刻Ｅの推定方法は、例えば、上記図８を用いて説明したとおりである。
【００４７】
ステップ３４では、出勤時刻Ｓと、退勤時刻Ｅが推定されたかどうか判定する。Ｙｅｓの場合、ステップＳ３５に進む。Ｎｏの場合、ステップＳ３６に進む。 
【００４８】
ステップ３５では、平均を求めるために、Ｓａ  ＝  Ｓａ＋Ｓ、Ｅａ  ＝  Ｅａ＋Ｅ、Ｎ  ＝  Ｎ＋１とし、ステップ３６に進む。
【００４９】
ステップ３６では、Ｄより後の日のデータがあるかを判定する。Ｙｅｓの場合、ステップＳ３７に進む。Ｎｏの場合、ステップＳ３９に進む。 
【００５０】
ステップ３７では、ＤをＤより後のデータのある日に設定し、ステップＳ３８に進む。
【００５１】
ステップＳ３８では、日付Ｄは、予め決められた期間内か判定する。Ｙｅｓの場合、ステップＳ３３に戻る。Ｎｏの場合、ステップＳ３９に進む。
【００５２】
ステップＳ３９では、Ｎが０かどうかを判定する。Ｎｏの場合、ステップＳ４０に進む。Ｙｅｓの場合、処理を終了する。 
【００５３】
ステップＳ４０では、Ｓａ  ＝  Ｓａ／Ｎ、Ｅａ  ＝  Ｅａ／Ｎとし、平均出勤時刻、平均退勤時刻を算出し、処理を終了する。
【００５４】
以上の例では、負荷は１つの電力測定タップに接続された１または複数の電子機器であるが、本発明は、複数の電力測定タップに接続された電子機器群を負荷とする場合や、また、１つの電力測定タップに複数台の電子機器のうちの１台を負荷とする場合にも適用できる。
【００５５】
また、以上では、電力計測タップが、負荷に供給される電力を電流計を用いて一定期間（例えば１日）に亘って所定期間ごと（例えば１秒ごと）に計測した消費電力データを生成し、表示装置に送信していたが、上記所定期間ごとに計測した電力のデータを該計測ごとに表示装置に送信し、そのデータに基づいて表示装置が上記消費電力データを生成するようにしてもよい。
【００５６】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５７】
１…消費電力表示システム、２…消費電力表示装置、３…電力測定タップ、２０…制御部、２０ａ…出退勤時刻算出部、２０ｂ…平均電力算出部、２０ｃ…目標電力算出部、２７…ディスプレイ。
【図１】
0005406906.tif 000002
【図２】
0005406906.tif 000003
【図３】
0005406906.tif 000004
【図４】
0005406906.tif 000005
【図５】
0005406906.tif 000006
【図６】
0005406906.tif 000007
【図７】
0005406906.tif 000008
【図８】
0005406906.tif 000009
【図９】
0005406906.tif 000010
【図１０】
0005406906.tif 000011